(57)【要約】【課題】  フレームとハウジングとの嵌合を確実なものとして、スイッチの取付強度を確保することが可能な押釦スイッチを提供する。【解決手段】  底面と直交する面に固定接点２が配設された収納部１ａを有するハウジング１と、固定接点２から導出されてハウジング１の底面側に突出する外部端子３と、固定接点２と接離する可動接点４と、ハウジング７から突出して可動接点４を押圧操作可能に設けられた操作部材６と、操作部材６をハウジング７内に抜け止め保持すると共に、ハウジング７、１の前面及び側面を覆うように取り付けられたフレーム８とを備え、フレーム８の対向する側面板８ｂをハウジング１の背面側に延設して折り曲げることにより、それぞれの自由端同士を近接した状態で配設し、自由端同士の底面側端部８ｉを外部端子３と共に回路基板１０へ表面実装可能に形成した。【選択図】        図１
2006019152.tif 000002
【特許請求の範囲】
【請求項１】
底面と直交する面に固定接点が配設された収納部を有するハウジングと、前記固定接点から導出されて前記ハウジングの底面側に突出する外部端子と、前記固定接点と接離する可動接点と、前記ハウジングから突出して前記可動接点を押圧操作可能に設けられた操作部材と、この操作部材を前記ハウジング内に抜け止め保持すると共に、前記ハウジングの前面及び側面を覆うように取り付けられたフレームとを備え、前記フレームの対向する側面板を前記ハウジングの背面側に延設して折り曲げることにより、それぞれの自由端同士を近接した状態で配設し、前記自由端同士の底面側端部を前記外部端子と共に回路基板へ表面実装可能に形成したことを特徴とする押釦スイッチ。
【請求項２】
前記ハウジングの背面側に延設された前記フレームの自由端同士を、微小空隙を介して互いの面同士が重ね合わさるように配設したことを特徴とする請求項１記載の押釦スイッチ。
【請求項３】
前記フレームの側面板に、内側へ屈曲可能な折曲片を設け、この折曲片を前記ハウジングの側面側に折り曲げると共に、前記自由端同士を前記ハウジングの背面側に折り曲げることにより、前記フレームと前記ハウジングを一体化したことを特徴とする請求項１、又は２記載の押釦スイッチ。
【請求項４】
前記フレームを、前記ハウジングの前面と両側面、及び背面の全外周面に渡って巻き回して一体化したことを特徴とする請求項３記載の押釦スイッチ。
【発明の詳細な説明】
【技術分野】
【０００１】
本発明は、押釦スイッチに係り、特に回路基板への表面実装用として使用される横押し操作タイプの押釦スイッチの構造に関する。
【背景技術】
【０００２】
従来の表面実装用として使用される横押し操作タイプの押釦スイッチの構造としては、合成樹脂製のハウジングと金属製の取付フレームとが、凹凸形状の係合部の嵌合によって一体化して取り付けられており、取付フレームの下端側に設けられた平面状の取付面を、ハウジングの底面側に突出されて平面状の取付面を有する外部端子と一緒に、回路基板の同一の平面上に半田付けして固定する構造のものが知られている（例えば、特許文献１参照）。
【０００３】
以下、従来の押釦スイッチの構造を図に基づいて説明する。
図６は従来の押釦スイッチの正面図、図７は従来の押釦スイッチの側面図である。
【０００４】
図において、ハウジング３１は、合成樹脂などの絶縁材で形成され、有底で側面が開口されて箱状に形成されている。また、ハウジング３１には、導電性の金属材で形成された外部端子３２ａが、ハウジング３１の外方へと突設されている。また、ハウジング３１の外方へ突設された外部端子３２ａは、ハウジング３１の底面部で側方に折り曲げられ、ハウジング３１の底面と面一となるような取付面３２ｃが形成されている。
【０００５】
また、ハウジング３１の対向する両側壁部には、取付フレーム３６の係合孔部３６ｄと係合する係合突部３１ｂが形成されている。この係合突部３１ｂには、第１の直線部３１ｃと、第１の傾斜面３１ｄとが形成されており、第１の直線部３１ｃと第１の傾斜面３１ｄを有する係合突部３１ｂが、取付フレーム３６の係合孔部３６ｄと係合することにより、外部端子３２ａの取付面３２ｃと取付フレーム３６の取付面３６ｃとを面一に一致させることができるものとなっている。
【０００６】
操作部材３５は、合成樹脂などの絶縁材で略矩形状に形成され、その上面側には、人の指などで操作される操作部３５ａが設けられている。また、操作部材３５の周面部には鍔部が形成されており、操作部材３５の移動復帰時に、この鍔部が取付フレーム３６に当接することで、操作部材３５がハウジング３１から飛び出すのを規制している。
【０００７】
取付フレーム３６は、平板状の金属板で略Ｕ字状に形成されており、この取付フレーム３６の中央には操作部材３５の操作部３５ａが挿通される挿通孔３６ａが設けられている。また、取付フレーム３６の対向する一対の側板３６ｂの下端には、側方に水平に折り曲げられてハウジング３１の底面と面一となるような取付面３６ｃが形成されており、この取付面３６ｃを設けることにより押釦スイッチの回路基板上への表面実装が可能となっている。
【０００８】
また、取付フレーム３６の対向する一対の側板３６ｂには、ハウジング３１の係合突部３１ｂと係合する係合孔部３６ｄが形成されている。この係合孔部３６ｄには、側板３６ｂの取付面３６ｃに平行な第２の直線部３６ｅと、第２の傾斜面３６ｆとが形成されている。第２の直線部３６ｅ及び第２の傾斜面３６ｆを有する係合孔部３６ｄが、ハウジング３１の第１の直線部３１ｃ及び第１の傾斜面３１ｄを有する係合突部３１ｂと係合することにより、外部端子３２ａの取付面３２ｃと取付フレーム３６の取付面３６ｃとを面一に一致させることができるものとなっている。
【０００９】
【特許文献１】特開２００２−９３２７２号公報
【発明の開示】
【発明が解決しようとする課題】
【００１０】
しかしながら、上述した従来の押釦スイッチの構造においては、金属製のフレームと合成樹脂製のハウジングとが、凹凸形状の係合部の嵌合によって一体化して取り付けられており、スイッチの取付強度は両者の嵌合部の形状によって確保されていた。しかしながら、スイッチの小型化が進み、嵌合部の形状を大きく形成することができなくなってきており、スイッチの取付強度を確保することが困難となっていた。
【００１１】
したがって、本発明では上述した問題点を解決し、フレームとハウジングとの嵌合を確実なものとして、スイッチの取付強度を確保することが可能な押釦スイッチを提供することを目的とする。
【課題を解決するための手段】
【００１２】
上記課題を解決するために本発明では第１の解決手段として、底面と直交する面に固定接点が配設された収納部を有するハウジングと、前記固定接点から導出されて前記ハウジングの底面側に突出する外部端子と、前記固定接点と接離する可動接点と、前記ハウジングから突出して前記可動接点を押圧操作可能に設けられた操作部材と、この操作部材を前記ハウジング内に抜け止め保持すると共に、前記ハウジングの前面及び側面を覆うように取り付けられたフレームとを備え、前記フレームの対向する側面板を前記ハウジングの背面側に延設して折り曲げることにより、それぞれの自由端同士を近接した状態で配設し、前記自由端同士の底面側端部を前記外部端子と共に回路基板へ表面実装可能に形成した構成とした。
【００１３】
また、第２の解決手段として、前記ハウジングの背面側に延設された前記フレームの自由端同士を、微小空隙を介して互いの面同士が重ね合わさるように配設した構成とした。
また、第３の解決手段として、前記フレームの側面板に、内側へ屈曲可能な折曲片を設け、この折曲片を前記ハウジングの側面側に折り曲げると共に、前記自由端同士を前記ハウジングの背面側に折り曲げることにより、前記フレームと前記ハウジングを一体化した構成とした。
また、第４の解決手段として、前記フレームを、前記ハウジングの前面と両側面、及び背面の全外周面に渡って巻き回して一体化した構成とした。
【発明の効果】
【００１４】
上述したように、本発明の押釦スイッチは、底面と直交する面に固定接点が配設された収納部を有するハウジングと、固定接点から導出されてハウジングの底面側に突出する外部端子と、固定接点と接離する可動接点と、ハウジングから突出して可動接点を押圧操作可能に設けられた操作部材と、操作部材をハウジング内に抜け止め保持すると共に、ハウジングの前面及び側面を覆うように取り付けられたフレームとを備え、フレームの対向する側面板をハウジングの背面側に延設して折り曲げることにより、それぞれの自由端同士を近接した状態で配設し、自由端同士の底面側端部を外部端子と共に回路基板へ表面実装可能に形成したことから、近接した状態で配設されたフレームの自由端同士の底面側端部を外部端子と共に回路基板へ半田付けして固定できるので、スイッチの外形寸法を大きくすることなくスイッチの取付強度を高めることができる。
【００１５】
また、ハウジングの背面側に延設されたフレームの自由端同士を、微小空隙を介して互いの面同士が重ね合わさるように配設したことから、フレームの自由端同士の半田付けされる底面側端部が微小空隙を介して重ね合わさるため、毛細管現象によってフラックスと半田が合わせ目に浸透するので、両者の半田付けを確実に行なうことができる。
また、フレームの側面板に、内側へ屈曲可能な折曲片を設け、折曲片をハウジングの側面側に折り曲げると共に、自由端同士をハウジングの背面側に折り曲げることにより、フレームとハウジングを一体化したことから、フレームにハウジングと係合する折曲片を設けることにより、フレームとハウジングの取り付けを確実に行なえ、折曲片がフレームの外方へ突出しないため、スイッチの小型化が可能となる。
また、フレームを、ハウジングの前面と両側面、及び背面の全外周面に渡って巻き回して一体化したことから、フレームでハウジングの全外周面を抱え込むことにより両者間の取り付けを強固とし、フレームとハウジングを確実に一体化できる。
【発明を実施するための最良の形態】
【００１６】
以下、本発明の押釦スイッチの実施形態を図１乃至図５に示す。図１は本発明の押釦スイッチの平面図、図２は本発明の押釦スイッチの正面図、図３は本発明の押釦スイッチの背面図、図４は本発明の押釦スイッチの側面図、図５は本発明の押釦スイッチを回路基板に表面実装した状態を示す説明図である。
【００１７】
図において、第１のハウジング１は、合成樹脂等の絶縁材から形成され、底面（取付面）とは直交する前面には、凹状の収納部１ａが設けられている。また、この収納部１ａを挟んで前面の両端には、長尺状の一対の支持腕部１ｂ、１ｂが前面と直交する方向に突出して形成されている。また、側面の両側部には、それぞれ対向して一対の係止段部１ｃ、１ｃが設けられており、この係止段部１ｃ、１ｃに後述するフレーム８の側面板８ｂに形成された折曲片８ｇが係止されるものとなっている。
【００１８】
また、前記収納部１ａの内底面には、導電性の金属板からなる固定接点２が配設されている。この固定接点２は、中央接点２ａと、これを挟んで対向して配設された一対の周辺接点（図示せず）とを有している。この固定接点２は前記第１のハウジング１内にインサート成形等の方法で一体に埋設されており、中央接点２ａと周辺接点の他端側は固定接点２から導出されて前記第１のハウジング１の底面側に突出して外部端子３が形成されている。また、この外部端子３の自由端は、第１のハウジング１の底面から背面側にＬ字状に直角に屈曲されており、表面実装用の端子構造となっている。
【００１９】
可動接点４は、ばね性を有する導電性の薄板金属板からなり、中央に反転可能な膨出部を有する小判型のドーム状に形成されている。この可動接点４は、前記第１のハウジング１の固定接点２の上面側に載置され、両端の外周縁部が前記周辺接点と接触し、中央の膨出部頂部が前記中央接点２ａと対峙された状態で第１のハウジング１の収納部１ａに配設されている。尚、本実施例では動作フィーリング（重トルク）対応のため、可動接点４は２枚重ねて配設されている。（図５参照）
【００２０】
操作部材６は、合成樹脂等の絶縁材からなり、方形状の押釦部６ａと、この押釦部６ａの下端周縁に延設された鍔部６ｂと、この下側に突出された押圧部６ｃとを有している。操作部材６は前記第１のハウジング１と後述する第２のハウジング７に横方向に移動可能に収容されており、押釦部６ａが押圧された際には、押圧部６ｃが、前記可動接点４の膨出部を押圧して、可動接点４が反転することにより固定接点２の中央接点２ａと導通するものとなっている。
【００２１】
第２のハウジング７は、同じく合成樹脂等の絶縁材から形成され、中央に方形状の開口部７ａを有する略方形状に形成されている。この開口部７ａに前記操作部材６の押釦部６ａが挿通されるものとなっている。また、この開口部７ａの背面側には段差部７ｂが形成されており、この段差部７ｂに前記操作部材６の鍔部６ｂが当接されて抜け止めされ、操作部材６が前記第１のハウジング１と第２のハウジング７とに移動可能に収容されるものとなっている。
【００２２】
また、第２のハウジング７の長手方向の両端部には、一対の切溝部（図示せず）が設けられており、この切溝部に、前記第１のハウジング１に設けられた、長尺状の一対の支持腕部１ｂ、１ｂが挿通されて第１のハウジング１と第２のハウジング７が一体化されるものとなっている。
【００２３】
フレーム８は、半田付け可能に形成された平板状の金属板を略コ字状に折り曲げて形成されており、方形状の前面板８ａと、前面板８ａの両端から直角に折り曲げられて対向して配設された一対の側面板８ｂ、８ｂとを有している。また、前面板８ａの中央には、方形状の貫通孔８ｃが設けられており、この貫通孔８ｃに前記操作部材６の押釦部６ａが挿通されて押し込み可能に突設されている。
【００２４】
また、前記貫通孔８ｃを挟んだ前面板８ａの両端部には一対の支持孔８ｄ、８ｄが形成されている。この支持孔８ｄ、８ｄに、前記第１のハウジング１の前面に長尺状に突出して形成された一対の前記支持腕部１ｂ、１ｂが挿通されて係合されるものとなっている。また、前面板８ａの底面側の両端部が突出形成され、この一対の突出部が、スイッチが実装される回路基板１０に表面実装される際の基板受部８ｅ、８ｅとなっている。
【００２５】
このように、前記第１のハウジング１の前面両端に、一対の前記支持腕部１ｂ、１ｂを形成して、この支持腕部１ｂ、１ｂの先端を前記フレーム８の前面板８ａの両端に形成した一対の前記支持孔８ｄ、８ｄに係合させたことから、前記第１のハウジング１の収納部１ａを有する面が、前記操作部材６により横方向から押されても、前記第１のハウジング１の支持腕部１ｂ、１ｂの先端が前記フレーム８に係合されているので、前記第１のハウジング１及び第２のハウジング７の起き上がりを防止できるものとなっている。
【００２６】
また、一対の前記側面板８ｂの下端には、脚部８ｆが形成されており、この脚部８ｆが回路基板１０の取付穴（図示せず）に挿入されて位置決めされるものとなっている。また、側面板８ｂの後方には、上下方向に突出した折り曲げ可能な折曲片８ｇが形成されている。この折曲片８ｇは、互いに対向する側面板８ｂ、８ｂの内側へ屈曲可能となっており、この折曲片８ｇが、前記第１のハウジング１の背面側に形成された前記係止段部１ｃ、１ｃに折り曲げられて係止されることにより、第１のハウジング１と第２のハウジング７がフレーム８と一体的に係合されるものとなっている。
【００２７】
このように、前記フレーム８の側面板８ｂに、内側へ屈曲可能な前記折曲片８ｇを設け、この折曲片８ｇを前記第１のハウジング１の側面で折り曲げることにより、前記第１のハウジング１と前記第２のハウジング７、及び前記フレーム８とを一体化しており、このため、前記フレーム８と前記第１及び第２のハウジング１、７の取り付けを確実に行なえ、前記折曲片８ｇが前記フレーム８の外方へ突出しないため、スイッチの小型化が可能となっている。
【００２８】
また、前記側面板８ｂの折曲片８ｇの後方には、前記第１のハウジング１の背面側に延設して折り曲げられた一対の帯状の巻回片８ｈが形成されている。この巻回片８ｈの先端側は、前記第１のハウジング１の底面側に向かって突出する略Ｌ字状に形成されており、このＬ字の先端側の自由端同士が、半田付け時に毛細管現象によってフラックスと半田を合わせ目に沿って浸透可能とするための微小空隙Ｇを介して互いの面同士が前後方向に重ね合わさるように近接した状態で第１のハウジング１の背面側に配設されている。この巻回片８ｈの自由端同士の底面側端部が、前記外部端子３と共に回路基板１０へ表面実装される取付部８ｉとなっている。
尚、巻回片８ｈの重ね合わされる一方面に微小空隙Ｇを形成するための部分的な突部を形成しても良い。
【００２９】
前記フレーム８は、前記第１及び第２のハウジング１、７と一体的に取り付けられており、この場合、前記折曲片８ｇを前記第１のハウジング１の側面で折り曲げることにより、前記前面板８ａと一対の側面板８ｂで前記第１のハウジング１と前記第２のハウジング７を一体的に係合すると共に、前記巻回片８ｈの自由端同士を前記第１のハウジング１の背面側に折り曲げることにより、前記第１のハウジング１と前記第２のハウジング７の前面と両側面及び背面の全外周面に渡って巻き回すことで完全に一体化されるものとなっている。
【００３０】
図５は、本発明の上記構成の押釦スイッチを、回路基板１０に表面実装して取り付けた状態を示している。この場合、図示はしていないがフレーム８の両側面板８ｂ、８ｂに設けられた一対の脚部８ｆ、８ｆが、回路基板１０の取付穴に挿入されて位置決めされた状態で、第１のハウジング１の底面から背面側に屈曲して形成された外部端子３と、フレーム８の巻回片８ｈの自由端側に重ね合わされて形成された一対の取付部８ｉとが半田１１により半田付けされて固着されている。尚、外部端子３の半田付け部は図示省略している。
【００３１】
この時、巻回片８ｈの一対の取付部８ｉの間には微小空隙が設けられていることから、この微小空隙Ｇの合わせ面の中にも毛細管現象によってフラックスと半田１１が浸透されることになり、両者の半田付けを確実に行なうことができるものとなる。そして、半田付け後は、操作部材６による押圧力が加わっても巻回片８ｈの重ね合わせ部分（取付部８ｉ）が開くことがなく、フレーム８と第１及び第２のハウジング１、７が強固に係合して取り付けられるものとなり、押釦スイッチの取付強度が十分確保できるものとなっている。
【００３２】
この場合、前記フレーム８と第１及び第２のハウジング１、７は、折曲片８ｇと巻回片８ｈとによって一体的に係合されており、押釦スイッチが回路基板１０に実装される前は、折曲片８ｇによって取付強度が補強されて一定の取付強度が確保され、押釦スイッチが回路基板１０に実装された後は、巻回片８ｈの取付部８ｉが重ね合わされた状態で回路基板１０に半田付けされるため、更に確実な取付強度が確保されるものとなっている。また、フレーム８の巻回片８ｈの取付部８ｉが重ね合わされて半田付けされるので、第１のハウジング１の裏面にフレーム８との半田付け用のパターンを設ける必要がない。
【００３３】
また、前記フレーム８を、前記第１及び第２のハウジング１、７の前面と両側面、及び背面の全外周面に渡って巻き回して一体化したことから、前記フレーム８で前記第１及び第２のハウジング１、７の全外周面を抱え込むことにより両者間の取り付けを強固とし、前記フレーム８と前記第１及び第２のハウジング１、７を確実に一体化できるものとなっている。
【００３４】
上記した本発明の実施例によれば、前記フレーム８の対向する両側面板８ｂ、８ｂを、前記第１のハウジング１の背面側に延設して一対の帯状の巻回片８ｈを形成し、この巻回片８ｈを折り曲げることにより、それぞれの自由端同士を、微小空隙を介して互いの面同士が前後方向に重ね合わさるように、近接した状態で前記第１のハウジング１の背面側に配設し、この自由端同士の底面側端部の前記取付部８ｉを、前記外部端子３と共に前記回路基板１０へ表面実装可能に形成したことから、近接した状態で配設された前記フレーム８の自由端同士の底面側端部の取付部８ｉを、前記外部端子３と共に前記回路基板１０へ半田付けして固定できるので、スイッチの外形寸法を大きくすることなくスイッチの取付強度を高めることができる。
【図面の簡単な説明】
【００３５】
【図１】本発明の押釦スイッチを示す平面図である。
【図２】本発明の押釦スイッチを示す正面図である。
【図３】本発明の押釦スイッチを示す背面図である。
【図４】本発明の押釦スイッチを示す側面図である。
【図５】本発明の押釦スイッチを回路基板に表面実装した状態を示す説明図である。
【図６】従来の押釦スイッチを示す正面図である。
【図７】従来の押釦スイッチを示す側面図である。
【符号の説明】
【００３６】
１：第１のハウジング（ハウジング）
１ａ：収納部
１ｂ：支持腕部
１ｃ：係止段部
２：固定接点
２ａ：中央接点
３：外部端子
４：可動接点
６：操作部材
６ａ：押釦部
６ｂ：鍔部
６ｃ：押圧部
７：第２のハウジング（ハウジング）
７ａ：開口部
７ｂ：段差部
８：フレーム
８ａ：前面板
８ｂ：側面板
８ｃ：貫通孔
８ｄ：支持孔
８ｅ：基板受部
８ｆ：脚部
８ｇ：折曲片
８ｈ：巻回片
８ｉ：取付部
１０：回路基板
１１：半田
【図１】
2006019152.tif 000003
【図２】
2006019152.tif 000004
【図３】
2006019152.tif 000005
【図４】
2006019152.tif 000006
【図５】
2006019152.tif 000007
【図６】
2006019152.tif 000008
【図７】
2006019152.tif 000009